(57)【要約】【課題】コンピュータの記録装置を収納する装置を従来のデッドスペースを活用して提供する。【解決手段】  コンピュータの未使用拡張ベイの蓋を取り外し、レールを固定板に拡張ベイ内部から取り付ける。そして出来た空間に引き出し３６を取り付ければ引き出しつきの拡張ベイとなる。また、拡張ベイに合わせた棚を設ける。以上のように拡張ベイの規格に合わせた大きさの収納を提供することを特徴とする。【選択図】図１０
2010287197.tif 000002
【特許請求の範囲】
【請求項１】
収納装置を取り付けたコンピュータの拡張ベイ。
【請求項２】
請求項１で筺体と色と材質を揃えた収納装置を取り付けたコンピュータの拡張ベイ。
【請求項３】
コンピュータの拡張ベイに取り付けることのできる収納装置。
【請求項４】
コンピュータの拡張ベイに取り付けることのできる引き出しを滑らせるレール。
【請求項５】
請求項３においてレールの上を滑る引き出しからなる収納装置。
【請求項６】
コンピュータの拡張ベイに引き出しを滑らせるためのレールを設け引き出し取り付けた収納装置つき拡張ベイ。
【請求項７】
コンピュータの拡張ベイに棚を取り付けた収納装置つき拡張ベイ。
【請求項８】
コンピュータの拡張ベイに取り付けることができる棚の収納装置。
【発明の詳細な説明】
【技術分野】
【０００１】  本発明は、コンピュータの拡張ベイに取り付ける収納装置に関する。
【背景技術】
【０００２】  従来のコンピュータの拡張ベイは３．５インチ、５．２５インチなど数種類ありますがそれぞれ規格が統一されています。未使用拡張ベイは前面に蓋を取り付けられており内部空間は使用されていません。【０００３】  以下、図１により従来のコンピュータの筐体について説明します。図において、１には内蔵型ドライブが取り付けられて有効に活用されているが、２は拡張ベイとして後に何らかの内蔵型ドライブを増設するためにあるが、そのままでは使用されていません。【０００４】  現在市販されているコンピュータの拡張ベイには図４の３のように筐体内部にある拡張ベイを固定するための左右の金属板があります。この金属板は内蔵型ドライブを両側から挟んであり、この金属板に雄ねじを外から付けて内蔵型メディアドライブを固定するもので、以下固定板と呼ぶこととします。この固定板の中には図１６の４３のように一部を切り曲げて内蔵型ドライブを取り付けたときには下から支えるフックとなっているものがありますが、引き出しのように頻繁に出し入れするものを取り付けてはいません。【０００５】  また、複数台のハードディスクを増設する装置には図１４の様に長いフックを用いて増設するハードディスクを出し入れできるようになっているものがありますが、使用するハードディスクの台数を増やすためのものであり、使用しないものを収納しておくためのものではありません。
【発明の表示】
【発明が解決しようとする課題】
【０００６】  以上に述べたようにコンピュータの使用されていない拡張ベイはその内部がデッドスペースがとなっています。
【０００７】  一方、コンピュータを使用するには取り外すことの出来るハードディスク、ＣＤ、ＤＶＤ、ブルーレイ、ＵＳＢメモリ等の記録媒体を必要とすることもありますが、コンピュータの周辺に置いておくか、専用のラック等に収納することが多いです。
【０００８】    特開平１１−１２４９３８号公報に記されている引き出し式拡張スロットにおいては、拡張スロットを取り付ける部分を取り出せるようにして、そこを収納として使用できると記述してありますが、むき出しの電気回路である拡張スロットを装着していなければ物を置くことができる空間があるというのみで、収納のための何らかの装置を取り付ける事は書かれていない上に、拡張ベイについての記述はなく、さらにコンピュータの筐体のレイアウトを変更しており、従来のコンピュータの筐体には適用できません。
【０００９】    また、特開平８−１３７６３１号公報には複数のハードディスクを取り付け、使用する装置においては拡張ベイに複数ハードディスクを活用できる『スロット』を取り付けることを述べていますが、その場で使用しない状態として収納することは記述されていません。その上、電源を繋ぐためにスロットの軌道を統一させる必要があり、スライドレールを用いており、活用できる体積が小さくなっています。
【課題を解決するための手段】
【００１０】  図１の使用していない横長の拡張ベイ２の蓋を取り外し、図３の形のレールを拡張ベイの内側から左右に取り付け、図８の引き出しを取り付ければ図１０のようになり、引き出しにものを収納できます。後で述べていますがレールには形状や取り付け方から種類がありますが、これらの総称としてレールと呼びます。図３のレールには４本の雄ねじをつけていますが、雄ねじの数は拡張ベイの規格（５．２５インチや３．５インチなど）に依存します。引き出し前面の一部を切り取り取っ手としています。
【００１１】  図２の２のように縦長の拡張ベイには図１１の形のレールを拡張ベイの内側から上下に取り付け、図２９の形の引き出しを取り付ければ図１３のようになります。引き出し前面の一部を切り取り取っ手としている他、引き出し側面も切り取ることで中のものを取り出しやすくしてあります。
【００１２】  図２４、図２５のように拡張ベイに収納用の棚を取り付けます。棚の形状は拡張ベイが縦長・横長であるかに依存しません。本発明は以上の構成よりなる拡張ベイ収納装置です。
【発明の効果】
【００１３】    コンピュータの形状にもよりますが、図１０、図１３のように、拡張ベイに収納を取り付ければＣＤ、ＤＶＤ、ブルーレイ等のディスクやＵＳＢメモリ等の記録媒体を入れておく場所として使い勝手がよく、ディスクを使用する内蔵型ドライブとも近い場所にあるのでディスクの交換も楽に出来ます。
【００１４】    内蔵型ドライブと同じサイズのディスクに対応した収納ができるので、収納スペースに無駄がありません。
【００１５】    既存のコンピュータにも開いている拡張ベイがあれば取り付けることが出来ます。
【００１６】    構造が簡単であり、収納器具を取り外して内蔵型ドライブを取り付けることもできます。
【実施例１】
【００１７】  初めに現存する横長の拡張ベイに引き出しを取り付けることから述べます。【００１８】  図３の形のものを用意します。これはこの上を引き出しが滑るようにするもので、後付型レールと呼ぶことにします。これはスライドレールとは異なり、この上を引き出しが滑るだけのものです。【００１９】  後付型レールは左右一対で、それぞれが３枚の板と雄ねじで図３のように構成されます。１１が雄ねじ、１２が固定板に内部から接する部分、１３の上を引き出しがスライドします。１４はストッパーで、これ以上引き出しが奥に行かないようにするものです。右側の１２の裏にも左側と同様に雄ねじ１１があります。後付型レールの雄ねじの数は拡張ベイの規格に依存します。【００２０】  後付型レールは、拡張ベイのサイズに合わせてあります。雄ねじ１１は拡張ベイのねじ穴に合わせた位置にあり、取り付けたとき１３の引き出しをスライドさせる部分は図１６のフックとして曲げた部分４３と同じ高さにくるようにしておきます。ストッパーの１４位置は拡張ベイの奥行きに合わせてあり、拡張ベイの規格に対応して取り付けることができます。【００２１】  後付型レールを拡張ベイの内側に取り付けます。図５が向かって左側の固定板と後付型レールを外から見た図です。３が固定板で、波線で書かれた４が後付型レールです。内蔵型ドライブを固定するための固定板のねじ穴から雄ねじを通し外から雌ねじ２１で固定します。図５では固定板のねじ穴は前後に長い形のものを表していますが、円形のねじ穴に対してもそのまま取り付けることが出来ます。【００２２】  拡張ベイ内側から固定板に後付型レールを当て、雄ねじ１１を固定板の外に出し、外から雌ねじで固定します。この際図５のように後付型レールの４つの雄ねじ１１の位置が固定板のねじ穴の前後の端いずれかに対応するようにしておけば、雌ねじの閉め方が緩くても後付型レールが前後にずれることが無くなります。これは、少なくともどれか１つは前の部分に対応し、少なくともどれか１つは後ろの部分に対応するという意味です。図５では右側がコンピュータの前側にあたるので、奥の雄ねじ２２がねじ穴の後側ぎりぎりにあり、手前の雄ねじ２３がねじ穴の前側に対応しています。これは少なくとも１つの雄ねじがねじ穴の前側に対応し、かつ少なくとも１つの雄ねじがねじ穴の後側に対応していれば後付型レールがずれることはありません。もしもねじ穴が円形であれば、ねじ穴の端ぎりぎりを考えることもありません。【００２３】  向かって左側の後付型レールを取り付ける様子が図４です。取り付ける際に１１の雄ねじは固定板の（通常は内蔵型ドライブを固定するときに使う）ねじ穴に合わせた位置に取り付けてあります。【００２４】  左右の後付型レールを取り付けると図６のようになり、図８にある引き出し部分を差し込むと図１０のようになります。【００２５】  図８の引き出しは、直方体で上面が何もない形状です。ただし側面についた突起３４が外に突き出していれば、（その部分の拡大図が図９）引き出しを奥まで入れたときに蓋のフックの引っかかる部分（図６の３３、この部分の拡大したものが図７）に対応した位置にあり、引き出しが不意に飛び出してこないようになります。【００２６】  ���面からみた固定板と後付型レールと引き出しの関係が図２０です。５２が左右の固定板の間隔で、引き出しの幅は５１となります。拡張ベイに取り付ける内蔵型ドライブの高さも５４の長さまで取り付け可能ですが、引き出しの高さは５３までとなります。したがって、引き出しの横幅と高さは、取り付ける拡張ベイの規格より若干小さくなります。【００２７】  引き出し部分で、図８図では前面の一部を切り取ることで取っ手としていますが、取っ手の形状は一般の引き出しに準じて変更できます。他の例でも引き出しの取っ手は一般のものに準ずることとします。
【実施例２】
【００２８】  次に縦長の拡張ベイに引き出しを取り付ける場合について述べます。【００２９】  図１１の形のものを用意します。実施例１と同様に既存の製品に取り付けるので後付型レールと呼ぶこととします。これは上下一対をなし、取り付けは横長の拡張ベイの場合と同様です。図１２で下のパーツの取り付けを表しています。雄ねじの数は実施例１の場合と同様に拡張ベイの規格に依存します。【００３０】  実施例１の左右一対のレールでは下から支える部分１３がありましたが、縦長の拡張ベイの場合は上下にレールを取り付けるので、１５の部分が引き出しの動きを前後のみに制限しています。また、１１の雄ねじは拡張ベイのねじ穴に対応してあります。【００３１】  取り付け方は実施例１のときと同様で、固定板のねじ穴から雄ねじを出して外から雌ねじで固定します。左右が上下に変わっており、レールは上下一対でも下側のみでも構いません。【００３２】  ここに図１３のように、直方体で上面の開いている縦長の引き出しを取り付けます。引き出しの前面の一部を切り取り取っ手としている他に、側面も一部を切り取ることで内容物の出し入れをしやすくなります。これは主にディスクを収納することを前提としているためであり、引き出しの側面は左右非対称でも構いません。図１３では前面と側面の切り取った部分が繋がっていますが、離れている場合もあります。【００３３】  引き出しの下面の蓋のフックを引っかけていた箇所３３に対応する部分に突起をつけておけば、コンピュータが傾いても引き出しが出てくることを防ぐことが出来ます。
【実施例３】
【００３４】  図２３のように前の空いたほぼ直方体の棚で、上下の面をやや分厚くしたものを用います。この外寸は内蔵型メディアドライブと同じものであり、大きさと形については前面に何もなく内部が空洞の内蔵型ドライブだと言えます。ただし、内寸はディスクのケースの大きさの規格に合わせた奥行きにして、ディスクを取り出しやすくします。【００３５】  内蔵型メディアドライブと同様の位置に上下にねじ止め用の穴６１をつけておきます。図では上面しか見えていませんが、下面にも同様の穴があります。【００３６】  この棚を内蔵型メディアドライブと同様に拡張ベイに取り付けます。ただし、内部を利用する目的のため、外側から取り付けるねじは内部にはみ出さない長さとします。そのために棚の上下の面を厚くしてあります。また、棚の内側の色と材質をコンピュータの筺体と揃えれば一体感が出ます。【００３７】  図２４が縦長の拡張ベイに取り付けたときの全体図です。【００３８】  拡張ベイが横長の場合も、全く同じ形状の図２３の棚を横にして取り付ければ図２５のようになります。【００３９】  棚の場合も引き出しと同様に、後から収納の部分に何らかのドライブを付け替えることができます。
【実施例４】
【００４０】  初めから拡張ベイに引き出しを取り付けることを前提としたコンピュータの拡張ベイについて説明します。【００４１】  図２６にあるように、固定板には通常の内蔵型ドライブを固定するためのねじ穴７１の他にねじ穴７２を開けておきます。【００４２】  図１５の形のものを用意します。これはコンピュータの筐体に初めから取り付けておくもので、先付型レールと呼ぶこととします。先付型レールは図３の後付型レールと異なり、内蔵型ドライブを固定するためのねじ穴４１があり、図２７のように固定板に取り付けたときに固定板のねじ穴７１と重なるようにしておきます。【００４３】  図２７にあるように先付型レールの取り付けには図１５の雄ねじ４２を固定板のねじ穴７２に通し、外から雌ねじで固定します。【００４４】  引き出しを取り付ければ図１０のようになります。図の見た目は後付型レールのときと同じですが、引き出しの前面部分とコンピュータの筐体との色と材質を統一すれば一体感が出ます。【００４５】  図２１の上段が通常の拡張ベイに後付型レールを取り付けたときの前面から見た図で、図３の１２のレールの固定板に接する部分と図３の１３のレールの引き出しを滑らせる部分の幅を極端に大きくして分かり易くしてあります。５１が引き出しの幅で、５２が左右の固定板の間隔です。レールの固定板に接する部分１２の厚さだけ拡張ベイの横幅より引き出しを小さくすることになり、レールの引き出しを滑らせる部分１３の厚さだけ拡張ベイの高さより引き出しを小さくすることになっています。【００４６】  先付型レールをつけるコンピュータには、引き出しを取り外して内蔵型ドライブを取り付ける際に簡単に作業が出来るように拡張ベイのサイズを広げておくことで取り換え作業を簡単にすることができます。ただし、先付型レールのストッパー部分１４は内蔵型ドライブを取り付けた際にケーブルの接続の邪魔にならないように細くしてあります。図１５では分かり易くするために引き出しを滑らせる部分１３よりも出ている部分を短くしてあります。【００４７】  図２１の下段は先付型レールを取り付けることを前提として従来の規格より大きくしたもので、レールを取り付けたときに引き出しの幅と高さが拡張ベイの規格に一致するようにしてあります。左右の固定板の間隔を５５にすると５２が引き出しの幅になり、拡張ベイの高さを５６にすると引き出しの高さが５４になり、引き出しのサイズがそのまま内蔵型ドライブのサイズに一致します。【００４８】  前の段落の拡大により引き出し部分を取り外しただけで内蔵型ドライブを取り付けることが出来ます。これは先付型レールをつけたままで内蔵型ドライブを取り付け可能になり、取り付け作業の簡略化になります。レールのねじ穴４１と固定板のねじ穴７１はともに引き出しの位置に内蔵型ドライブを取り付けた際に外からねじで固定できる位置にしておきます。ねじ穴４１は拡張ベイの規格に対応してあり、図１５では４つ開いていますが、拡張ベイの規格によっては異なる数になることもあります。
【実施例５】
【００４９】  縦長の拡張ベイに対しても実施例４と同様にはじめから引き出しをつけておくことが出来ます。【００５０】レールは図１７の形状で、固定板は図２６と同じ形で横になっています。拡張ベイのサイズは実施例４の場合と同様に拡張してあると便利です。図３０に示しましたが、実施例４の縦と横が入れ替ったものです。【００５１】取り付ける引き出しは実施例２と同様の形状です。【００５２】実施例４と同様に筐体と引き出しの色と材質を揃えることで一体感が出ます。
【実施例６】
【００５３】  これまでに述べたレール以外のレールの付け方がありますので、まとめて述べていきます。【００５４】  横長の拡張ベイに図１８の形状の引き出しを滑らせる部分１３とストッパー１４のみからなるものを固定板に接着剤・溶接・その他の手段で固着することでレールとなります。これを固定型レールと呼ぶことにします。【００５５】  ４５の部分を固定板に垂直に固着します。引き出しを滑らせる部分１３とストッパー１４は先付型レールをつける場合と同じ位置にくるようにつけます。【００５６】  拡張ベイのサイズはレールの固定板に接する部分１２が存在しないので、左右の固定板の間隔は図２０の５２のように従来の規格のままとします。高さは図２１の５６の長さを確保します。固定型レールは取り外すことが出来ないため、必ずレールがついた状態で、内蔵型ドライブを取り付けることが出来るようにします。【００５７】  縦長の拡張ベイには図１９の形状の固定型レールを固着することで、引き出しを取り付けることが出来ます。横長の拡張ベイのケースと同じく４５の部分を固定板に固着します。この４５の部分は図１９では上のパーツの上面と下のパーツの下面の見えない部分です。引き出しを滑らせる部分１３とストッパー１４が先付型レールの場合と同じ位置になるようにします。【００５８】  図２２にあるように固定板の一部を切り曲げる方法でレールの役割を果たします。これをフック型レールと呼ぶことにします。これはディスクアレイシステムを用い複数台のハードディスクを増設する装置にみられる方法ですが、図１４には５８のストッパー部分がなく、奥まで差し込んで端子を接続するようになっていることが異なっています。【００５９】  縦長の拡張ベイには図２８にあるように固定板の一部を切り曲げる方法でフック型レールとします。
【図面の簡単な説明】
【００６１】
【図１】  拡張ベイが横長なコンピュータの筐体の斜視図。
【図２】  拡張ベイが縦長なコンピュータの斜視図。
【図３】  横長の拡張ベイに取り付ける後付型レールの斜視図。
【図４】  横長の拡張ベイに後付型レールを取り付ける様子の斜視図。
【図５】  向かって左の固定板に後付型レールを取り付ける様子の全体の斜視図。
【図６】  横長の拡張ベイに後付型レールを取り付けたときのコンピュータの斜視図。
【図７】  横長の拡張ベイに後付型レールを取り付けた状態の拡張ベイ部分の前面の拡大図。
【図８】  横長の拡張ベイに取り付ける引き出しの斜視図。
【図９】  横長の拡張ベイに取り付ける引き出しの突起部分の拡大図。
【図１０】  拡張ベイが横長なコンピュータの筐体に引き出しを取り付けたときの斜視図。
【図１１】  縦長の拡張ベイに取り付ける後付型レールの斜視図。
【図１２】  縦長の拡張ベイに後付型レールを取り付ける様子の斜視図。
【図１３】  拡張ベイが縦長なコンピュータの筐体に引き出しを取り付けたときの斜視図。
【図１４】  複数のハードディスクを増設する装置につけられた固定板の一部を切り曲げて作られたレールの斜視図。
【図１５】  横長の拡張ベイにつける先付型レールの斜視図。
【図１６】  固定板のみを取り出した斜視図。
【図１７】  縦長の拡張ベイにつける先付型レールの斜視図。
【図１８】  横長の拡張ベイに固着させる固定型レールの斜視図。
【図１９】  縦長の拡張ベイに固着させる固定型レールの斜視図。
【図２０】  横長の拡張ベイの固定板にレール、引き出しを取り付けた際の正面図。
【図２１】  横長の拡張ベイの固定板の間隔と高さで後付型と先付型とのサイズを比較した正面図。
【図２２】  横長の拡張ベイの固定板の一部を切り曲げて長いフックをレールとしたもので、引き出し用にストッパーを付けたものの斜視図。
【図２３】  縦長の拡張ベイに取り付ける棚の斜視図。前面は開いている。
【図２４】  縦長の棚を取り付けたコンピュータの斜視図。
【図２５】  横長の棚を取り付けたコンピュータの斜視図。
【図２６】  先付型レールを取り付けるための穴を備えた固定板の斜視図。
【図２７】  先付型レールを取り付けるための穴を備えた固定板にレールを取り付ける際の斜視図。
【図２８】  縦長の拡張ベイの固定板の一部を切り曲げて長いフックをレールとしたもので、引き出し用にストッパーを付けたものの斜視図。
【図２９】  縦長の拡張ベイに取り付ける引き出し部分の斜視図。
【図３０】  縦長の拡張ベイの固定板の間隔と高さで後付型と先付型とのサイズを比較した正面図。
【符号の説明】
【００６２】１…内蔵型ドライブ、
２…従来の未使用拡張ベイ。
３…固定板。
４…後付型レール（向かって左側につける部分）
１１…後付型レールにつけた雄ねじ、
１２…レールの固定板に接する部分、
１３…レールの引き出しを滑らせる部分、
１４…レールのこれ以上引き出しが奥に行かないようにするためのストッパー。
１５…レールの引き出しの動きを規制する部分。
２１…後付型レールの雄ねじを外から固定する雌ねじ。
２２…固定板のねじ穴の奥側いっぱいに対応する位置についた後付型レールの雄ねじ、
２３…固定板のねじ穴の手前側いっぱいに対応する位置についた後付型レールの雄ねじ。
３１…拡張ベイに内蔵型ドライブを取り付けているねじ（外から雄ねじをつけている）、
３２…拡張ベイに取り付けた後付型レールの雄ねじを外から雌ねじで固定している箇所、
３３…蓋のフックを引っかけていた窪み。
３４…引き出しについた突起、
３５…引き出しの取っ手部分（ここでは前面の一部が切り取られた形状としている）。
３６…横長の拡張ベイ用の引き出し。
３７…縦長の拡張ベイ用の引き出し。
４１…先付型レールの拡張ベイの規格に対応した位置に空けたねじ穴、
４２…先付型レールを取り付けるための雄ねじ。
４３…横長の拡張ベイの固定板の一部を切り曲げて作ったフック。
４５…固定型レールの固定板に固着させる部分。
５１…横長の拡張ベイに取り付ける引き出しの横の長さ、
（レ−ルの固定板に接する部分の厚さを引いた部分の長さ）
５２…横長の拡張ベイの横の長さ、
５３…横長の拡張ベイに取り付ける引き出しの高さ、
（レールの滑らせる部分の厚さを取り除いた部分の長さ）
５４…横長の拡張ベイの高さ、
５５…横長の拡張ベイで、先付型レールをつけるために拡大した左右の固定板の間隔、
５６…横長の拡張ベイで、先付型レールをつけるために伸ばしたときの高さ。
５７…固定板の一部を切り曲げて造ったレールの引き出しを滑らせる部分。
５８…固定板の一部を切り曲げて造ったレールのストッパー部分。
５９…固定板の一部を切り曲げることで出来た穴。
６１…拡張ベイに取り付ける棚を固定するねじ穴（内蔵型ドライブと同じ位置にある）。
６２…拡張ベイに取り付けられた棚（縦長でも横長でも同じ形）。
７１…固定板に空けたねじ穴（内蔵型ドライブを固定するためのもの）、
７２…先付型レールをとりつけるための固定板のねじ穴。
８０…縦長の拡張ベイに取り付ける引き出しの横幅、
（レ−ルの引き出しの動きを規制する部分の厚さを引いた部分の長さ）
８１…縦長の拡張ベイの横の長さ、
８２…縦長の拡張ベイで、先付型レールをつけるために伸ばしたときの横の長さ、
８３…縦長の拡張ベイの高さ、
８４…縦長の拡張ベイで、先付型レールをつけるために拡大した上下の固定板の間隔。
【図１】
2010287197.tif 000003
【図２】
2010287197.tif 000004
【図３】
2010287197.tif 000005
【図４】
2010287197.tif 000006
【図５】
2010287197.tif 000007
【図６】
2010287197.tif 000008
【図７】
2010287197.tif 000009
【図８】
2010287197.tif 000010
【図９】
2010287197.tif 000011
【図１０】
2010287197.tif 000012
【図１１】
2010287197.tif 000013
【図１２】
2010287197.tif 000014
【図１３】
2010287197.tif 000015
【図１４】
2010287197.tif 000016
【図１５】
2010287197.tif 000017
【図１６】
2010287197.tif 000018
【図１７】
2010287197.tif 000019
【図１８】
2010287197.tif 000020
【図１９】
2010287197.tif 000021
【図２０】
2010287197.tif 000022
【図２１】
2010287197.tif 000023
【図２２】
2010287197.tif 000024
【図２３】
2010287197.tif 000025
【図２４】
2010287197.tif 000026
【図２５】
2010287197.tif 000027
【図２６】
2010287197.tif 000028
【図２７】
2010287197.tif 000029
【図２８】
2010287197.tif 000030
【図２９】
2010287197.tif 000031
【図３０】
2010287197.tif 000032